(57)【特許請求の範囲】
【請求項１】
壁、天井又は床に嵌まる照明用の装置であって、該照明装置(10)は、側面下端に下端縁(16)を具え、内部に少なくとも一つのライト保持機構(18)を有する所定深さの箱状のハウジング(14)と、
ハウジング(14)の深さよりも大きい幅であってハウジング(14)が嵌まる開口(24)を有し、開口周囲には外方へ張り出たフランジ(26)及びフランジ(26)から垂直に突出したリッジ(36)を有するフレーム(22)とを具え、
該フレーム(22)は天井に固定され、前記ハウジング(14)の下端縁(16)は、リッジ(36)の周りに嵌まって、フレーム(22)によって隠される照明装置。
【請求項２】
フランジの下表面にはスパックが載せられる、請求項１に記載の装置。
【請求項３】
フランジは、孔があけられている、請求項１又は２に記載の装置。
【請求項４】
フレームを貫いて突出するネジやボルト又はリベットを含んでおり、フレームを壁、天井又は床へ固定する、請求項１乃至３の何れかに記載の装置。
【請求項５】
壁、天井又は床に嵌まる照明用の装置であって、該照明装置(10)は、
側面下端に下端縁(16)を具え、内部に少なくとも一つのライト保持機構(18)を有する所定深さの箱状のハウジング(14)と、
ハウジング(14)の深さよりも大きい幅であってハウジング(14)が嵌まる開口(24)を有し、開口周囲にはフランジの無いフレーム(22)を具え、
該フレーム(22)には、外周面から側方へ突出し、壁、天井(12)又は床の表面に置かれる台座(64)を有し、
該フレーム(22)は天井に固定され、ハウジング(14)の下端縁(16)は、フレーム(22)の上部に嵌まって、フレーム(22)によって隠される照明装置。
【請求項６】
ライト保持機構へ接続された変圧器を含む、請求項１乃至５の何れかに記載の装置。
【請求項７】
変圧器は、ハウジングの上面又は側面へ配備され、該変圧器は、変圧器及びハウジングが、床、天井又は壁へ据え付けられる際に、ハウジングを通じて操作出来る、請求項１乃至６の何れかに記載の装置。
【請求項８】
変圧器は、ハウジングから離れており、変圧器をライト保持機構へ繋ぐ配線を含む、請求項１乃至７の何れかに記載の装置。
【請求項９】
ハウジングは、スピルシールド又は、ライト保持機構の下方に設けられたレンズを含むことが出来る、請求項１乃至８の何れかに記載の装置。
【請求項１０】
ライト保持機構は、ジンバルリング器具を含む、請求項１乃至９の何れかに記載の装置。
【請求項１１】
ライト保持機構は、円錐状のシールドを含むことが出来る、請求項１乃至１０の何れかに記載の装置。
【請求項１２】
ハウジングは、四面式の取外し可能で対称なバッフルプレートを含む、請求項１乃至１１の何れかに記載の装置。
【請求項１３】
ハウジングは、一面式の非対称なバッフルプレートを含む、請求項１乃至１２の何れかに記載の装置。
【請求項１４】
ハウジングは、四面式の取外し可能で非対称なバッフルプレートを含む、請求項１乃至１３の何れかに記載の装置。
【請求項１５】
ハウジングは、二面式の対称なバッフルプレートを含む、請求項１乃至１４の何れかに記載の装置。
【請求項１６】
ハウジングは、二面式の非対称なバッフルプレートを含む、請求項１乃至１５の何れかに記載の装置。
【請求項１７】
ハウジングは、対称的な端部を有する二面式の非対称なバッフルプレートを含む、請求項１乃至１６の何れかに記載の装置。
【請求項１８】
ハウジングは、対称的な端部を有し、截頭形の二面式の非対称なバッフルプレートを含む、請求項１乃至１７の何れかに記載の装置。
【請求項１９】
照明装置を据え付ける方法であって、
開口を有するフレームを、部屋の天井内の空間に設置する工程と、
フレーム内の開口を経て、ハウジングを天井へ挿入する工程であって、該フレームは、ハウジング(14)の深さよりも大きい幅の前記開口の周囲に延びたフランジと、該フランジから直角に突設したリッジを有している工程と、
ハウジングの下端縁(16)を、フレーム(22)のリッジ(36)の周りへ適合させる工程であって、ハウジングの下端縁をフレームによって隠し、
ハウジング内にライトを保持するための機構を、少なくとも１つ配置する工程と、
を含む照明装置を据え付ける方法。
【請求項２０】
設置工程は、フレームのフランジ上へ、スパックルを補修する工程を含む、請求項１９に記載の装置。
【請求項２１】
設置工程の後、バッフルを、ライト保持機構の下のハウジング上に配置する工程がある、請求項２０に記載の装置。
【発明の詳細な説明】
【０００１】
【発明の属する技術分野】
本発明は、照明のための装置及び方法に関する。より具体的には、本発明は、ハウジングの下端縁(bottom edge)がフレームによって隠されている照明装置に関する。
【０００２】
【従来の技術及び発明が解決しようとする課題】
照明はいつも、人々に、周りを見ることが出来る能力を提供してきた。この様に、照明は、人々にとって、屋内で見るために必要なものである。照明自体には、美的要素も有しており、照明は、それが照らしている周囲の構造物の一部となる様にデザインされ、邪魔にならず、気付かれず、出来るかぎり周囲と調和する様に配慮されている。
【０００３】
多くの立派な店において、照明は、店が販売する商品を照らすために、大変注意深く考慮されている。特にこの様な環境では、照明装置は、販売される商品を照らすという目的を果たしながら、可能な限り目立たないことが望まれる。凹みに納まった照明は、通常、この目的を達成するために用いられる。特定の種類の凹みに納まった照明では、ハウジングは、壁、天井又は床へ嵌め込まれ、ハウジングがライトそれ自体を保持している。この種の凹みに納まった照明では、ハウジングは、ライトを、壁、天井又は床に収容するためにフレームが外方から嵌められている。これまで、ハウジングは、フレームの内部に取り付けられ、そのため端縁が露れて、その様な線を作って、滑らかな床、天井又は壁の美的に魅力的な外観を台無しにしてきた。本発明は、これらの線を取り除いて、照明装置が配置される壁、天井又は床へ、より滑らかで連続した外観をもたらすものである。
【０００４】
【発明の要旨】
本発明は、壁、天井又は床に嵌まる照明のための装置に関する。該装置は、下端縁及び、少なくとも１つのライト保持機構を有するハウジングを具える。ハウジングには、深さがある。ハウジングの深さは、ハウジング上面から下端縁までの高さであって、図２、図３に示す如くライト保持機構を収容している。装置は、開口を有するフレームを具えており、開口の幅は、ハウジングの深さより大きく、この幅を通してハウジングが嵌められる。ハウジングの上面から延びた４側面の下端縁は、フレームの周りに適合し、下端縁がフレームによって隠されている。
【０００５】
本発明は、照明装置を据え付ける方法に関する。該方法は、開口を有するフレームを、部屋の天井内の空間に設置する工程を含む。次に、フレーム内の開口を通して、ハウジングを天井へ挿入する工程がある。更に、ハウジングの下端縁を、フレームのリッジ(ridge)の周りへ適合させる工程があり、該リッジは、下端縁がフレームによって隠れている天井の内部へ延びている。次に、ハウジング内にライトを保持するための機構を、少なくとも１つ配置する工程がある。
添付の図面に於いて、本発明の望ましい実施例及び、本発明を実践する望ましい方法を図示している。
【０００６】
次に、図面を参照して、同じ参照番号は、それぞれの図を通して同様な又は同一の部分を示している。より具体的には、図面中の図１、２、３及び４を参照して、壁、天井(12)又は床に嵌まる照明装置が示される。該装置は、下端縁(16)と、少なくとも１つのライト保持機構(18)とを有するハウジング(14)を具える。ハウジング(14)には、深さがある。装置は、開口(24)を有するフレーム(22)を具えており、開口(24)の幅は、ハウジング(14)の深さより大きい。ハウジング(14)は、フレーム(22)の周りに適合しており、下端縁(16)はフレーム(22)によって隠されている。
【０００７】
フレーム(22)は、スパックルが載せられるフランジ(26)を有することが望ましい。フランジ(26)は、孔をあけられることが望ましいが、孔があけられなくてもよい。本装置は、ネジ(30)やボルト又はリベットを含むことが望ましく、これらは、フレーム(22)を貫いて突出しており、フレーム(22)を、壁、天井(12)又は床へ固定する。ネジは、ハウジング(14)を、天井、壁又は床へ固定することにも用いられる。フレーム(22)は、内側へ突出するリッジ(36)を具えることが望ましい。ハウジング(14)の下端縁(16)は、リッジ(36)の周りに適合する。または、ハウジングは、天井(12)内にて重力によってフレーム(22)上へ嵌まることが出来る。
【０００８】
該装置は、ライト保持機構(18)へ接続された変圧器(32)を含むことが望ましい。変圧器(32)は、ハウジング(14)の上面、上方又は側面へ配備され、変圧器(32)は、図１６に示される様に、変圧器(32)及びハウジング(14)が、床、天井又は壁へ据え付けられたり、取り除かれる際に、ハウジング(14)を通して操作出来る(accessible)ことが望ましい。または、変圧器(32)を、ハウジング(14)から離れて配置し、装置は、変圧器(32)をライト保持機構(18)へ繋ぐ配線(wiring)(34)を含んでもよい。変圧器(32)からの配線(34)は、ハウジング(14)の外側に配備されており、図７に於いて示される様に、可撓性のコンジット(66)内に保持されることが可能であり、該コンジット(66)は、ハウジング(14)の側面にあるワイヤ挿通口(wire access)(62)を通過している。
【０００９】
ライト保持機構(18)は、ジンバルリング器具(44)又はヨークを含む。ライト保持機構(18)は、円錐状のシールド(46)を含むことが出来る。ハウジング(14)は、図１７に示される様に、スピルシールド(38)を含むことができ、又は図１８に示される様に、ライト保持機構(18)の下方に設けられたレンズ(40)を含むことが出来る。
【００１０】
ハウジング(14)は、図１０に示された、四面式の取外し可能で対称なバッフルプレート(four-sided removable symmetric baffle)(48)、図１１に示された、片面式の非対称なバッフルプレート(one-sided asymmetric baffle)(50)、図１５に示された、四面式の取外し可能で非対称なバッフルプレート(52)、図９に示された二面式の対称なバッフルプレート(54)、図１２に示された二面式の非対称なバッフルプレート(56)、図１３に示された、対称的な端部(58)を有する二面式の非対称なバッフルプレート(54)、又は図１４に示された、非対称的な端部(60)を有し、截頭形の二面式の非対称なバッフルプレートの何れか１つを含むことが出来る。バッフルプレートは、図８Ｃ及び８Ｄに示される様に、ハウジング(14)の一部に含まれることができ、又は代わりに、図８Ａ及び８Ｂに示される様に、フレーム(22)の一部に含まれることが出来る。
【００１１】
別の実施例に於いて、図５、６及び７に示される様に、フレーム(22)は、フランジが省かれてもよい。この場合、フレーム(22)は、外の方へ突出し、天井(12)の内面又は上表面上に置かれている台座(seat)(64)を有しており、フレーム(22)を天井(12)へ固定する。次に、ハウジング(14)は、フレーム(22)の上部に嵌まるので、下端縁(16)は見えない。
【００１２】
本発明は、照明用装置を据え付ける方法に関する。該方法は、開口(24)を有するフレーム(22)を、部屋の天井(12)内の空間に設置する工程を含む。次に、フレーム(22)内の開口(24)を通して、ハウジング(14)を天井(12)へ挿入する工程がある。更に、ハウジング(14)の下端縁(16)を、フレーム(22)のリッジ(36)の周りへ嵌める工程があり、該フレーム(22)は、天井(12)の内側へ延び、その位置で下端縁(16)はフレーム(22)によって隠されている。次に、ハウジング(14)内にライト(20)を保持するための機構を、少なくとも１つ配置する工程がある。
【００１３】
設置工程は、フレーム(22)のフランジ(26)上へ、スパックル(28)を設ける工程を含むことが望ましい。設置工程の後、バッフルを、ライト保持機構(18)の下のハウジング(14)上に配置する工程があることが望ましい。
望ましい実施例の操作に於いて、壁、天井(12)又は床は、照明装置を受け入れる様に形成されている。（説明の都合上、天井(12)についてのみ説明するが、下記の説明は、壁又は床についても適用出来る）。基本的に、これは、開口は、照明装置(10)が設置される天井(12)内に作られることを意味する。
【００１４】
照明装置(10)のフレーム(22)は、天井(12)内の開口(24)の中に配置される。フレーム(22)は、その周囲から張り出て、開口(24)の周りの天井(12)の底部へ接触する、孔があけられたフランジ(26)を有する。フレーム(22)は、フランジ(26)によって天井(12)へ当接して、所定位置に保持され、取付ネジ(30)が、フランジ(26)内の各貫通孔を通して配置される。取付ネジ(30)は、天井(12)材及びブロッキング(blocking)を貫通して、フレーム(22)を適所に保持する。スパックル(28)は、孔明きフランジ(26)の上に載せられ、これを覆って、部屋の中の人々が天井(12)内の照明装置(10)を見上げても、外観されることを防ぐ。
【００１５】
照明装置(10)のハウジング(14)は、次に、フレーム(22)内の開口(24)を通して挿入される。従って、ハウジング(14)は、天井(12)の内部にある。ハウジング(14)の深さは、フレーム(22)内の開口(24)の幅より小さいから、ハウジング(14)は、開口(24)を通して嵌合出来る。ハウジング(14)を開口(24)を通して嵌め込む際に、ハウジング(14)は回されて、ハウジングの深さが開口(24)の幅より小さい箇所が、開口(24)に露出している。しかしハウジング(14)は、フレーム(22)の開口(24)を通った後、真直ぐに戻されて、フレーム(22)上の適位置に配置される。更に、ハウジング(14)は、２個以上の部分で構成することにより、それがフレーム(22)の開口(24)を通って適合できる様にしてもよい。この場合は、ハウジング(14)の種々な部分が再び組み合わされるのは、これらの部分が、開口(24)を通って適合し、且つこれらが天井(12)内に位置した後である。一旦、ハウジング(14)が、フレーム(22)の開口(24)を通って天井(12)内に挿入されると、それらは真直ぐに戻され、それの下端縁(16)は、フレーム(22)から天井(12)内へ延びたフレーム(22)のリッジ(36)の周りに配置される。ハウジング(14)は、天井(12)の上表面（露出していない部分）まで下げられて、フレーム(22)のリッジ(36)は、そこでハウジング(14)の下端縁(16)の内周に位置する。ハウジング(14)は、リッジ(36)上にパチンと嵌まる(snaps)形式であって、リッジ(36)上の位置へパチンと嵌め込まれるか又は、リッジ(36)の位置へネジ又はリベットで締めて固定されることが出来る形式であって、天井(12)へしっかりと保持される。ハウジング(14)は、リッジ(36)へ嵌め込み又はネジ止めによって取り付けられることが望ましい。従って、後日、必要が生じたときは、ハウジング(14)を天井(12)へ取り付けたときとは逆に動かして、ハウジング(14)を天井(12)から取り外すことが出来る。ハウジング(14)が、フレーム(22)のリッジ(36)の内方へ配置された後は、リッジ(36)はハウジング(14)の下端縁(16)の内周側に位置して、フレーム(22)はハウジング(14)の下端縁(16)を見えない様になし、ハウジング(14)内のフレーム(22)の間で、線、縁、隙間の形成を少なくする。
【００１６】
ライト保持機構(18)は次に、ハウジング(14)の中に据え付けられることが出来る。一般的に、無制限の、望ましくは、１から３０個のライト保持機構(18)が存在し得る。または、ライト保持機構(18)は、それがフレーム(22)内の開口(24)の中へ挿入される前に、それまでにハウジング(14)内に据え付けられることが出来るが、これは、そうすることが望まれる場合及び、ライト保持機構(18)が存在しても、ライト保持機構(18)を有するハウジング(14)の有効深さ(effective depth)が、フレーム(22)内の開口(24)を通じて嵌められない程度にまで広がらない場合である。ライト保持機構(18)は、例えばジンバルリング器具(44)とすることが出来る。
【００１７】
種々のジンバルリング器具或いはヨークは、ジンバルリング器具又はヨークへライト(20)を取り付けた侭の状態で、適位置に配置されることが出来る。勿論、ジンバルリング器具又はヨークが、ハウジング(14)の有効深さを広げている場合は、それら又は、それらの一部分を取り外して、ハウジング(14)の有効深さが、フレーム(22)内の開口(24)の幅より小さくなる様に戻し、そうすることによって、ハウジング(14)が、フレーム(22)内の開口(24)を通して天井(12)から取り外しが出来る様にする。
【００１８】
ハウジング(14)は、ジンバルリング器具中のライト(20)のための変圧器(32)を、その内に有することが出来て、取外し可能な変圧器(32)の取付板によって、ハウジング(14)内に保持されることが出来る。または、変圧器(32)は、ジンバルリング器具中の照明するためのハウジング(14)の傍らに配置することが出来て、配線によってこれらに接続される。別の方法では、変圧器(32)は、ハウジング(14)から離れており、天井(12)沿いに走っている配線を通じて、ジンバルリング器具中のライト(20)へ接続される。また、スピルシールド(38)又はレンズ(40)は、ジンバルリング器具下方にてハウジング(14)内へ配置し、各ジンバルリング器具(44)及びハウジング(14)に対して、個々に或いは、集合的に、定置されることが出来る。円錐状のシールド(46)もまた、望まれるならば、ジンバルリング器具上へ置かれる。または、全てのライトのために、１つの孔を有する１枚の平板を使用することが出来、ハウジングそれ自体は外観されない。更に、ハウジング(14)は、照明及び、ハウジング(14)の美的な価値に、更にアクセントを付けるために、様々な種類のバッフルプレートを含むことも出来る。
【００１９】
図１９、２０、２１、２２及び２３に関して、照明装置(10)は、下記の要領で据え付けられる。
ハウジング：
１．  吊り棒が予め形成された孔に通される。
２．  吊り棒が既存の構造物へ取り付けられ、それによってフレームの開口は、仕上げられた天井と同一平面を成す。
３．  引込み一次リード線を、ハウジングの位置に配置されたＪ−ボックス内に取り付ける。
フレーム：
４．  ハウジングの電源を切る。
５．  取付具支持ケーブル(Fixture Support Cable)を、８−３２ネジで、取付具トリム(Fixture Trim)に繋ぐ。
６．  ランプソケットを、取付具トリム内のランプへ繋ぐ。
７．  ４個の取付具保持バネを、取付具の面から離して圧縮し、取付具トリムをハウジングの開口へ挿入する。
８．  ハウジングの電源を入れる。
【００２０】
本発明の前述の実施例を、例示の目的で説明してきたが、この様な詳細は単に例示の目的のものであり、当該分野の専門家であれば、後述の請求の範囲に記載されるもの以外で、発明の精神及び範囲から逸脱することなく、種々の変形をなすことができることが理解されるであろう。
【図面の簡単な説明】
【図１】本発明の照明装置の底面図である。
【図２】本発明の照明装置の側面図である。
【図３】本発明の照明装置の端面図である。
【図４】フレームを天井へ固定しているネジの拡大図である。
【図５】本発明の照明装置に関する実施例の底面図である。
【図６】本発明の照明装置に関する実施例の側面図である。
【図７】本発明の照明装置に関する実施例の端面図である。
【図８】Ａ及びＢは、フレームの一部であるバッフルプレートの拡大図である。Ｃ及びＤは、ハウジングの一部であるバッフルプレートの拡大図である。
【図９】二面の対称なバッフルプレートの底面図である。
【図１０】四面の対称なバッフルプレートの底面図である。
【図１１】一面の非対称なバッフルプレートの底面図である。
【図１２】二面の非対称なバッフルプレートの底面図である。
【図１３】対称的な端部を有する、二面の非対称なバッフルプレートの底面図である。
【図１４】非対称的な端部を有する、断頭形の二面の非対称なバッフルプレートの底面図である。
【図１５】四面の取外し可能で非対称なバッフルプレートの底面図である。
【図１６】ハウジング内に変圧器を有する照明装置の底面図である。
【図１７】スピルシールドを有する照明装置の底面図である。
【図１８】レンズを有する照明装置の側面図である。
【図１９】据付けに関して、照明装置を側面から見た図である。
【図２０】据付けに関して、照明装置を端面図である。
【図２１】据付けに関するライトの図である。
【図２２】据付けに関して、照明装置を側面から見た図である。
【図２３】据付けに関して、照明装置を側面から見た図である。
【符号の説明】
(10)  照明装置
(12)  天井
(14)  ハウジング
(16)  下端縁
(18)  ライト保持機構
(22)  フレーム
(24)  開口
(26)  フランジ
(28)  スパックル
(30)  取付ネジ
(32)  変圧器
(36)  リッジ
(40)  レンズ
(44)  ジンバルリング器具
(46)  円錐状のシールド
(48)  バッフルプレート
(50)  バッフルプレート
(54)  バッフルプレート
(56)  バッフルプレート
(58)  バッフルプレート
(60)  バッフルプレート
(62)  ワイヤアクセス
(64)  台座
(66)  コンジット
【図１】
0004503123.tif 000002
【図２】
0004503123.tif 000003
【図３】
0004503123.tif 000004
【図４】
0004503123.tif 000005
【図５】
0004503123.tif 000006
【図６】
0004503123.tif 000007
【図７】
0004503123.tif 000008
【図８】
0004503123.tif 000009
【図９】
0004503123.tif 000010
【図１０】
0004503123.tif 000011
【図１１】
0004503123.tif 000012
【図１２】
0004503123.tif 000013
【図１３】
0004503123.tif 000014
【図１４】
0004503123.tif 000015
【図１５】
0004503123.tif 000016
【図１６】
0004503123.tif 000017
【図１７】
0004503123.tif 000018
【図１８】
0004503123.tif 000019
【図１９】
0004503123.tif 000020
【図２０】
0004503123.tif 000021
【図２１】
0004503123.tif 000022
【図２２】
0004503123.tif 000023
【図２３】
0004503123.tif 000024